(57)【特許請求の範囲】
【請求項１】
一端を接地した第一のコンデンサ素子と、
上記第一のコンデンサ素子の接地していない他端に一端を接続し、他端を接地した第一の抵抗素子と、
上記第一のコンデンサ素子の接地していない他端に一端を接続した第二のコンデンサ素子と、
上記第二のコンデンサ素子の上記第一のコンデンサ素子と接続していない他端に陰極を接続した整流素子とを有し、
上記整流素子の陽極に印加される電圧を入力電圧として入力し、上記第一のコンデンサ素子の両端電圧を電源投入検出信号として出力することを特徴とする電源投入検出回路。
【請求項２】
上記電源投入検出回路は、更に、
上記第二のコンデンサ素子の上記第一のコンデンサ素子と接続していない他端に一端を接続し、他端を接地した第二の抵抗素子を有することを特徴とする請求項１に記載の電源投入検出回路。
【請求項３】
上記電源投入検出回路は、更に、
上記第二のコンデンサ素子の上記第一のコンデンサ素子と接続していない他端に一端を接続し、上記第一のコンデンサ素子の接地していない他端に他端を接続した第三の抵抗素子を有することを特徴とする請求項１または請求項２に記載の電源投入検出回路。
【請求項４】
上記電源投入検出回路は、出力する上記電源投入検出信号の電圧値が、所定の電圧値より高い場合に、上記入力電圧の立ち上がりから所定の時間内であることを示す回路であることを特徴とする請求項１乃至請求項３のいずれかに記載の電源投入検出回路。
【請求項５】
上記電源投入検出回路は、出力する上記電源投入検出信号の電圧値が、所定の電圧値よりも高い状態を継続している時間の長さにより、上記入力電圧の電圧値を示す回路であることを特徴とする請求項１乃至請求項４のいずれかに記載の電源投入検出回路。
【請求項６】
上記電源投入検出回路は、上記入力電圧として、交流電源を全波整流した脈流電圧を入力することを特徴とする請求項１乃至請求項５のいずれかに記載の電源投入検出回路。
【請求項７】
入力電圧の立ち上がりを検出し、電流を出力する立ち上がり検出回路と、
上記立ち上がり検出回路が出力した電流により充電される第一のコンデンサ素子と、
上記第一のコンデンサ素子に溜まった電荷を放電する第一の放電回路とを有し、
上記第一のコンデンサ素子の両端電圧を電源投入検出信号として出力し、
上記立ち上がり検出回路は、陽極に入力電圧を入力する整流素子と、上記整流素子を流れる電流により充電される第二のコンデンサ素子とを有し、上記第二のコンデンサ素子を流れる電流を出力することを特徴とする電源投入検出回路。
【請求項８】
上記立ち上がり検出回路は、更に、
上記第二のコンデンサ素子に溜まった電荷を放電する第二の放電回路を有することを特徴とする請求項７に記載の電源投入検出回路。
【請求項９】
請求項１乃至請求項８のいずれかに記載の電源投入検出回路を有することを特徴とする放電灯点灯装置。
【請求項１０】
上記放電灯点灯装置は、更に、
上記電源投入検出回路の出力電圧を、電源投入検出信号として入力し、入力した上記電源投入検出信号の電圧値を、所定の電圧値と比較し、上記電源投入検出信号の電圧値が上記所定の電圧値よりも高い場合に、上記入力電圧の立ち上がりから所定の時間内であると判断するマイクロコンピュータを有することを特徴とする請求項９に記載の放電灯点灯装置。
【請求項１１】
上記放電灯点灯装置は、更に、
放電灯を点灯する電力を上記放電灯に対して供給するインバータ回路と、
上記放電灯が異常状態であるか否かを検出し、異常検出信号として出力する異常検出回路とを有し、
上記マイクロコンピュータは、更に、
上記異常検出回路が出力した異常検出信号を入力し、上記放電灯が異常状態であることを示す異常検出信号を、上記異常検出回路から入力した場合に、上記インバータ回路の動作を停止するよう、上記インバータ回路を制御し、
上記電源投入検出回路から入力した電源投入検出信号に基づいて、上記入力電圧の立ち上がりから所定の時間内であると判断した場合に、上記インバータ回路の動作を再開するよう、上記インバータ回路を制御することを特徴とする請求項１０に記載の放電灯点灯装置。
【請求項１２】
上記放電灯点灯装置は、更に、
上記電源投入検出回路の出力電圧を、電源投入検出信号として入力し、入力した上記電源投入検出信号の電圧値を、所定の電圧値と比較し、上記電源投入検出信号の電圧値が上記所定の電圧値よりも高い場合に、上記電源投入検出信号の電圧値が上記所定の電圧値よりも高い状態が継続している時間を測定して検出時間とし、測定した上記検出時間を、所定の時間と比較し、上記検出時間が所定の時間より長い場合に、上記入力電圧の電圧値が第一の電圧値であると判別し、上記検出時間が所定の時間より短い場合に、上記入力電圧の電圧値が第二の電圧値であると判別するマイクロコンピュータを有することを特徴とする請求項９に記載の放電灯点灯装置。
【発明の詳細な説明】
【技術分野】
【０００１】
この発明は、電源投入を検出する電源投入検出回路、及び、放電灯点灯装置に関する。
【背景技術】
【０００２】
放電灯点灯装置は、放電灯の異常などを検出した場合、回路保護のため、インバータ回路の発振を停止し、放電灯を消灯して、保護状態となる。
放電灯が消灯したままでは、放電灯が異常であるか否かを検出できないので、なんらかの復帰原因が発生するまでは、保護状態を継続する。
例えば、電源スイッチの操作により、保護状態から復帰する。
このような制御をマイクロコンピュータを用いて行う場合、マイクロコンピュータが電源投入によりリセットされたことをもって、電源スイッチの操作が行われたものとして、保護状態から復帰する方式がある。
【特許文献１】特開平０５−１４４５８３号公報
【発明の開示】
【発明が解決しようとする課題】
【０００３】
しかし、マイクロコンピュータがリセットされたからといって、必ずしも電源スイッチの操作が行われたとは限らない。
そこで、電源投入を正しく検出するための電源投入検出回路が必要となる。
また、放電灯点灯装置の製造コストを低く抑えるためには、電源投入検出回路の構成をできるだけ簡単なものにしたい。
この発明は、例えば、上記のような課題を解決するためになされたものであり、できるだけ簡単な構成で、電源投入を正しく検出することを目的とする。
【課題を解決するための手段】
【０００４】
この発明にかかる電源投入検出回路は、
一端を接地した第一のコンデンサ素子と、
上記第一のコンデンサ素子の接地していない他端に一端を接続し、他端を接地した第一の抵抗素子と、
上記第一のコンデンサ素子の接地していない他端に一端を接続した第二のコンデンサ素子と、
上記第二のコンデンサ素子の上記第一のコンデンサ素子と接続していない他端に陰極を接続した整流素子と、
を有し、
上記整流素子の陽極に印加される電圧を入力電圧として入力し、上記第一のコンデンサ素子の両端電圧を電源投入検出信号として出力する
ことを特徴とする。
【発明の効果】
【０００５】
この発明によれば、例えば、第一のコンデンサ素子と、第二のコンデンサ素子と、第一の抵抗素子と、整流素子という極めて簡単な構成で、入力電圧の立ち上がりを検出するので、電源投入を確実に検出できるという効果を奏する。
【発明を実施するための最良の形態】
【０００６】
実施の形態１．
実施の形態１を、図１〜図１０を用いて説明する。
【０００７】
図１は、この実施の形態における放電灯点灯装置１００の全体構成を示す全体構成図である。
放電灯点灯装置１００は、直流電源回路１１０（電源整流回路１及びアクティブフィルタ回路部２）、インバータ回路部３、負荷回路４、マイクロコンピュータ６、異常検出回路１４、電源投入検出回路部２００を有する。
【０００８】
直流電源回路１１０は、交流電源ＡＣ（例えば、商用電源１００Ｖ、５０Ｈｚまたは６０Ｈｚ）から電力の供給を受け、これを直流電圧（例えば、直流２８０Ｖ）に変換して、変換した直流電圧をインバータ回路部３に供給する。
電源整流回路１（整流回路部）は、電源電圧の整流、及び、ノイズの除去を行う回路である。電源整流回路１は、例えば、ダイオードブリッジにより構成する。
電源整流回路１は、交流電源ＡＣから交流電圧を入力し、脈流電圧を出力する。
アクティブフィルタ回路部２は、電源電圧波形に沿ってスイッチングを行うことにより、電源電圧を所定の直流電圧に昇圧すると共に入力電流波形を整形して力率を改善する回路である。
アクティブフィルタ回路部２は、電源整流回路１から脈流電圧を入力し、直流電圧を出力する。
【０００９】
インバータ回路部３は、アクティブフィルタ回路部２で昇圧された直流電圧の供給を受け、これを高周波交流電圧に変換して、変換した高周波交流電圧を負荷回路４に供給する。
インバータ回路部３は、ドライブ回路５、ＦＥＴ（電界効果型トランジスタ）Ｑ１，Ｑ２を有する。
ドライブ回路５は、マイクロコンピュータ６が出力するドライブ信号を入力し、入力したドライブ信号を増幅して、ＦＥＴＱ１及びＱ２をスイッチングする信号を生成する。
ＦＥＴＱ１及びＱ２は、ドライブ回路から出力された信号を入力し、スイッチング動作を行う。ここで、ＦＥＴＱ１に入力する信号と、ＦＥＴＱ２に入力する信号とは、逆極性の電圧を有するので、ＦＥＴＱ１と、ＦＥＴＱ２とは、交互にスイッチングする。これにより、インバータ回路部３は、高周波電圧を発生させる。
【００１０】
異常検出回路１４は、放電灯ＬＡの異常状態を検出する回路である。
ここで、異常状態とは、例えば、放電灯点灯装置１００に装着した放電灯ＬＡが、寿命末期などにより、エミレス点灯するなどした状態のことをいう。
異常検出回路１４は、異常状態であるか否かを示す異常検出信号を出力する。
【００１１】
マイクロコンピュータ６（処理装置）は、プログラムを実行することにより、ドライブ回路５に対して出力するドライブ信号を生成する。マイクロコンピュータ６は、ランプ異常検出回路１４が出力した異常ランプ検出信号などを入力し、入力した情報に基づいて、出力するドライブ信号などを制御する。
なお、マイクロコンピュータ６が実行するプログラムは、例えば、ＲＯＭなどの記憶装置（図示せず）に記憶されており、必要に応じてマイクロコンピュータ６が読み出して実行する。
【００１２】
負荷回路４（負荷回路部）は、インバータ回路部３が出力した高周波電圧を入力し、インダクタＬ１、コンデンサＣ１及び結合コンデンサＣの共振を利用して、放電灯ＬＡを点灯させる回路である。
【００１３】
電源投入検出回路部２００（電源投入検出回路、ＡＣ有無判定回路、商用電源投入検出回路部）は、交流電源ＡＣからの電力の供給が開始された直後であるか否かを検出する回路である。電源投入検出回路部２００は、検出した結果を示す電源投入検出信号を出力する。
【００１４】
図２は、この実施の形態における電源投入検出回路部２００の回路構成を示す回路構成図である。
電源投入検出回路部２００は、コンデンサＣ２，Ｃ３、抵抗Ｒ１，Ｒ２、ダイオードＤ１を有する。
コンデンサＣ３（第一のコンデンサ素子）は、一端を接地する。
抵抗Ｒ２（第一の抵抗素子）は、コンデンサＣ３の接地していない他端に、一端を接続する。また、抵抗Ｒ２は、他端を接地する。すなわち、抵抗Ｒ２は、コンデンサＣ３と並列に接続する。
コンデンサＣ２（第二のコンデンサ素子）は、コンデンサＣ３の接地していない他端に、一端を接続する。すなわち、コンデンサＣ２は、コンデンサＣ３（及び抵抗Ｒ２）と直列に接続する。
抵抗Ｒ１（第二の抵抗素子）は、コンデンサＣ２の、コンデンサＣ３と接続していない他端に、一端を接続する。また、抵抗Ｒ１は、他端を接地する。すなわち、抵抗Ｒ１は、コンデンサＣ２，Ｃ３及び抵抗Ｒ２により構成される回路と並列に接続する。
ダイオードＤ１（整流素子）は、抵抗Ｒ１の接地していない他端に、カソード（陰極）を接続する。すなわち、ダイオードＤ１は、抵抗Ｒ１，Ｒ２及びコンデンサＣ２，Ｃ３により構成される回路と直列に接続する。
【００１５】
電源投入検出回路部２００は、ダイオードＤ１のアノード（陽極）に印加される電圧を入力とする。電源投入検出回路部２００の入力には、電源整流回路１が出力した脈流電圧が印加される。
電源投入検出回路部２００は、コンデンサＣ３の両端電圧を出力とする。電源投入検出回路部２００の出力は、マイクロコンピュータ６が接続されており、マイクロコンピュータ６は、電源投入検出回路部２００が出力する電源投入検出信号を入力する。
【００１６】
図３は、この実施の形態における電源投入検出回路部２００の動作を説明するための説明図である。
【００１７】
初期状態において、コンデンサＣ２及びコンデンサＣ３には、電荷が充電されていない。
電源スイッチＳＷがオンになり、交流電源ＡＣからの電力供給が開始されると、電源整流回路１が脈流電圧を出力する。
コンデンサＣ２及びコンデンサＣ３は、ダイオードＤ１を通った電流により充電される。
コンデンサＣ２を流れる電流は、コンデンサＣ３を流れる電流ｉ１と、抵抗Ｒ２を流れる電流ｉ２の和（ｉ１＋ｉ２）である。
初期状態においては、コンデンサＣ３が充電されていないので、抵抗Ｒ２には電圧がかからない。したがって、電流ｉ２は無視できるので、コンデンサＣ２を流れる電流とコンデンサＣ３を流れる電流は、ほぼ等しい。
【００１８】
初期状態において、コンデンサＣ２を流れる電流とコンデンサＣ３を流れる電流がほぼ等しいので、コンデンサＣ２とコンデンサＣ３との容量の比に等しい比率の電圧が、コンデンサＣ２及びコンデンサＣ３に充電される。
例えば、コンデンサＣ２の容量とコンデンサＣ３の容量との比が、Ｃ２：Ｃ３＝１：１０であれば、コンデンサＣ２に充電される電圧ＶＣ２とコンデンサＣ３に充電される電圧ＶＣ３との比は、ＶＣ２：ＶＣ３＝１：１／１０＝１０：１となる。したがって、例えば、入力電圧が１００Ｖであれば、コンデンサＣ３には、１００／１１≒９Ｖの電圧が充電される。
【００１９】
なお、コンデンサＣ３の両端電圧を電源投入検出信号として出力し、マイクロコンピュータ６に入力することから、電源投入検出信号の電圧値が、数Ｖ程度になるように、コンデンサＣ２とコンデンサＣ３との容量の比を定める。
【００２０】
図４は、この実施の形態における電源投入検出回路部２００の動作を説明するための説明図である。
【００２１】
コンデンサＣ２及びコンデンサＣ３に充電された電荷は、抵抗Ｒ１及び抵抗Ｒ２を通って放電される。
コンデンサＣ２に溜まった電荷は、抵抗Ｒ２を流れる電流ｉ４によって放電される。
コンデンサＣ３に溜まった電荷は、抵抗Ｒ１を流れる電流ｉ３と抵抗Ｒ２を流れる電流ｉ４によって放電される。
【００２２】
入力電圧ｖＩＮは脈流電圧であるから、脈流の上下に伴って、ダイオードＤ１がオンオフを繰り返す。
ダイオードＤ１がオンの期間において、コンデンサＣ２は、電流（ｉ１＋ｉ２）により充電し、コンデンサＣ３は、電流ｉ１により充電する。
ダイオードＤ１がオフの期間において、コンデンサＣ２は、電流ｉ３により放電し、コンデンサＣ３は、電流（ｉ３＋ｉ４）により放電する。
したがって、コンデンサＣ２の充電量はコンデンサＣ３の充電量より大きく、コンデンサＣ３の放電量はコンデンサＣ２の放電量より大きい。
【００２３】
そのため、当初はコンデンサＣ２とコンデンサＣ３との容量比で定まっていた分圧比が変動して、コンデンサＣ２の両端電圧は更に高くなり、コンデンサＣ３の両端電圧は逆に低くなる。
その結果、コンデンサＣ３の両端電圧は、０Ｖに近づく。
【００２４】
すなわち、入力電圧のほとんどがコンデンサＣ２に充電された状態となり、コンデンサＣ３は、電源投入直後の一時期を除き、ほとんど充電されていない状態となる。
【００２５】
図５は、この実施の形態における電源投入検出回路部２００の各部の電圧を示す波形グラフ図である。
なお、横軸は時刻、縦軸は電圧を示す。
【００２６】
入力電圧ｖＩＮは、電源整流回路１が出力し、電源投入検出回路部２００が入力する脈流電圧である。
電圧ｖＲ１及びｖＣ２は、それぞれ抵抗Ｒ１、コンデンサＣ２の両端電圧である。
出力電圧ｖＣ３は、コンデンサＣ３の両端電圧であり、電源投入検出回路部２００が出力する電源投入検出信号となる電圧である。
これらの電圧の間には、ｖＲ１＝ｖＣ２＋ｖＣ３という関係が成り立つ。
なお、入力電圧ｖＩＮのグラフと、電圧ｖＲ１及びｖＣ２のグラフの縦軸のスケールは等しいが、出力電圧ｖＣ３のグラフは、縦軸のスケールを拡大している。
【００２７】
コンデンサＣ２及びコンデンサＣ３が充電されていない状態で、電源が投入されると、ダイオードＤ１と、コンデンサＣ２及びコンデンサＣ３とが、平滑回路の役割を果たす。抵抗Ｒ１をこの平滑回路の負荷と考えると、抵抗Ｒ１の両端電圧ｖＲ１は、入力電圧ｖＩＮを平滑した電圧となる。
【００２８】
このとき、コンデンサＣ２とコンデンサＣ３とには、容量の比に反比例する電圧が充電される。
【００２９】
その後、コンデンサＣ３に充電された電荷は、抵抗Ｒ２を通って放電されるので、出力電圧ｖＣ３は、０Ｖに近づく。
コンデンサＣ２には、その分の電圧が充電され、コンデンサＣ２の両端電圧ｖＣ２は、抵抗Ｒ１の両端電圧ｖＲ１とほぼ等しくなる。
【００３０】
出力電圧ｖＣ３を所定の判定閾値電圧と比較すれば、電源の投入により入力電圧ｖＩＮが立ち上がった直後から所定の期間は、出力電圧ｖＣ３のほうが高く、その後は、出力電圧ｖＣ３のほうが低くなる。
したがって、電源投入検出回路部２００が出力する出力電圧ｖＣ３を電源投入検出信号として利用することができる。
【００３１】
ここで、電源投入検出回路部２００の動作を、異なる観点から説明する。
【００３２】
図６は、この実施の形態における電源投入検出回路部２００の構成を、機能ブロックの観点から説明した図である。
【００３３】
ダイオードＤ１と、コンデンサＣ２は、入力電圧ｖＩＮの立ち上がりを検出する立ち上がり検出回路を構成する。
すなわち、コンデンサＣ２に電荷がない状態で、入力電圧ｖＩＮが立ち上がると、ダイオードＤ１がオンになり、コンデンサＣ２が充電される。
このとき、コンデンサＣ２を充電するためにコンデンサＣ２を流れる電流を見れば、入力電圧ｖＩＮの立ち上がりが検出できる。
なお、入力電圧ｖＩＮが立ち下がった場合には、ダイオードＤ１がオフになるので、コンデンサＣ２を電流が流れない。したがって、入力電圧ｖＩＮの立ち下がりは検出されない。
【００３４】
ダイオードＤ１とコンデンサＣ２による立ち上がり検出回路が出力する電流（コンデンサＣ２を流れる電流）は、コンデンサＣ２と直列に接続したコンデンサＣ３を充電する。  したがって、入力電圧ｖＩＮの立ち上がりによって、コンデンサＣ３が充電され、出力電圧ｖＣ３が高くなる。
【００３５】
その後、コンデンサＣ３に溜まった電荷は、抵抗Ｒ２により構成される第一の放電回路を通って放電し、出力電圧ｖＣ３が低くなる。
【００３６】
次に、電源スイッチＳＷをオフにし、その後電源スイッチＳＷを再びオンにした場合について説明する。
【００３７】
電源スイッチＳＷをオフにし、その後電源スイッチＳＷを再びオンにした場合には、電源投入検出回路部２００は、再び電源が投入されたことを検出する電源投入検出信号を出力しなければならない。
以上の説明は、コンデンサＣ２及びコンデンサＣ３が充電されていない状態から始まることを前提としている。
電源投入検出回路部２００が電源が投入されたことを検出した後、継続して電源が供給され続けている間は、コンデンサＣ２に入力電圧ｖＩＮを平滑した電圧とほぼ等しい電圧が充電されている。
したがって、電源スイッチＳＷがオフの間に、コンデンサＣ２に溜まった電荷を放電する必要がある。
【００３８】
この実施の形態における電源投入検出回路部２００では、コンデンサＣ２に溜まった電荷は、抵抗Ｒ１及び抵抗Ｒ２及びコンデンサＣ３により構成される第二の放電回路を通って放電する。
なお、抵抗Ｒ２は、第一の放電回路と、第二の放電回路とで共用される。
【００３９】
図７は、この実施の形態における電源投入検出回路部２００の各部の電圧を示す波形グラフ図である。
なお、横軸は時刻、縦軸は電圧を示す。
【００４０】
電源スイッチＳＷがオフにあり、交流電源ＡＣからの電力の供給が切断すると、電源整流回路１は脈流電圧を出力しなくなる。
すると、コンデンサＣ２を充電する電流が流れなくなるので、コンデンサＣ２は、徐々に放電する。
【００４１】
コンデンサＣ２が十分放電された後に、再び電源が投入されると、電源投入検出回路部２００は、正常に電源の投入を検出できる電源投入検出信号（出力電圧ｖＣ３）を出力する。
【００４２】
ここで、抵抗Ｒ１の抵抗値は、コンデンサＣ２の放電にかかる時間を規定する。すなわち、抵抗Ｒ１の抵抗値が小さければ、コンデンサＣ２の放電にかかる時間が短くなるので、電源スイッチＳＷをオフにしている時間が短くても、電源の再投入が検出できる。
【００４３】
その代わり、抵抗Ｒ１の抵抗値を小さくすると、電源スイッチＳＷがオンの間であっても、脈流電圧の谷間では、コンデンサＣ２が放電するので、出力電圧ｖＣ３に表れる波（リプル）が大きくなる。
そこで、電源再投入を検出したい間隔に基づいて、抵抗Ｒ１の抵抗値を定める必要がある。
【００４４】
この実施の形態における電源投入検出回路部２００には、電源整流回路１が出力した脈流電圧を、入力電圧ｖＩＮとして入力した場合について説明したが、電源投入検出回路部２００に入力する入力電圧ｖＩＮは、脈流電圧に限らない。
【００４５】
図８は、ここで説明した電源投入検出回路部２００に入力する入力電圧ｖＩＮとして、交流電圧を入力した場合における、電源投入検出回路部２００の各部の電圧の一例を示す波形グラフ図である。
入力電圧ｖＩＮは、ダイオードＤ１などにより平滑されるので、全波整流された脈流電圧を入力する場合と比較して、山の数が半分になる以外、電源投入検出回路部２００は、同様に動作する。
【００４６】
図９は、ここで説明した電源投入検出回路部２００に入力する入力電圧ｖＩＮとして、脈流成分のない直流電圧を入力した場合における、電源投入検出回路部２００の各部の電圧の一例を示す波形グラフ図である。
入力電圧ｖＩＮが一定電圧の直流である場合には、出力電圧ｖＣ３にリプルが表れず、電源投入により立ち上がったのち、きれいに単調減少する。
【００４７】
したがって、電源投入検出回路部２００に入力する入力電圧ｖＩＮは、できるだけ平滑した電圧を入力するほうが好ましい。
しかし、全波整流した脈流電圧を入力しても、出力電圧ｖＣ３に表れるリプルは小さく、電源投入検出に影響を与えるほどではない。
放電灯点灯装置１００は、アクティブフィルタ回路部２に入力するため電源整流回路１を有しているので、電源整流回路１が出力する脈流電圧を電源投入検出回路部２００に入力すれば、追加の部品が必要なく、放電灯点灯装置１００の製造コストを抑えることができる。
【００４８】
次に、電源投入検出回路部２００が出力した電源投入検出信号を用いて、マイクロコンピュータ６がインバータ回路部３を制御する動作について説明する。
【００４９】
マイクロコンピュータ６を動作させるために必要な電源は、通常、放電灯点灯装置１００に対して交流電源ＡＣから供給される電力から生成する。
したがって、マイクロコンピュータ６に電源が供給されていない状態から、マイクロコンピュータ６に電源が供給されて、マイクロコンピュータ６が起動した場合には、交流電源ＡＣからの電力の供給が開始された直後であると推定できる。
【００５０】
しかし、そのような推定は、必ずしも正しいとは限らない。
【００５１】
例えば、電源が突然切断した場合に、それまでの動作状態を不揮発性メモリなどに記憶する必要がある場合がある。その場合、電源が切断したあともマイクロコンピュータ６を動作させる必要があるため、マイクロコンピュータ６の電源が切れるまでに遅延時間があるように構成する場合がある。
そのような構成では、その遅延時間が経過する前に、電源の供給が再開されると、マイクロコンピュータ６がリセットされず、そのまま処理を続ける。
【００５２】
また、交流電源ＡＣからの電力の供給が継続している場合であっても、マイクロコンピュータ６に対する電力の供給を一時停止することにより、電力消費を低減するよう構成する場合がある。例えば、異常検出回路１４が異常状態を検出し、回路保護のために、インバータ回路部３の発振を停止している場合などである。
そのような構成では、マイクロコンピュータ６に対する電源の供給が再開したときでも、交流電源ＡＣからの電力の供給は継続している場合がある。
【００５３】
あるいは、なんらかの理由で、マイクロコンピュータ６をソフトウェア的にリセットできるよう構成する場合もある。
そのような構成では、マイクロコンピュータ６がリセットした場合でも、交流電源ＡＣからの電力の供給は継続している場合がある。
【００５４】
以上のような場合には、マイクロコンピュータ６がリセットしたことをもって、交流電源ＡＣからの電力の供給が開始された直後であると判断することはできない。
したがって、電源スイッチＳＷの操作を検出する必要がある場合には、電源が投入されたことを検出する必要がある。
【００５５】
この実施の形態における放電灯点灯装置１００では、電源投入検出回路部２００が出力した電源投入検出信号を、マイクロコンピュータ６が入力し、電源が投入された直後であるか否かを判別する。
【００５６】
図１０は、この実施の形態における放電灯点灯装置１００による放電灯点灯処理の流れを示すフローチャート図である。
【００５７】
Ｓ１１において、マイクロコンピュータ６が、なんらかの原因でリセットする。
例えば、マイクロコンピュータ６に対する電源の供給が開始され、マイクロコンピュータ６が起動した場合などである。
【００５８】
Ｓ１２において、マイクロコンピュータ６は、異常検出によりインバータ回路部３の発振を停止中であるか否かを判断する。
異常検出回路１４が放電灯ＬＡの異常を検出した場合、回路保護や消費電力の削減のため、インバータ回路部３の発振を停止する。
インバータ回路部３の発振を停止すると、異常検出回路１４は放電灯ＬＡの異常を検出しなくなるので、その後、何らかの復帰原因が発生するまで、インバータ回路部３の発振を停止したままにしておく必要がある。
この実施の形態では、電源スイッチＳＷをオフにして、その後オンにする操作をした場合に、インバータ回路部３の発振を再開するものとする。
【００５９】
異常検出によりインバータ回路部３の発振を停止した場合、マイクロコンピュータ６は、例えば、不揮発性メモリなどを用いて、そのことを記憶しておく。
マイクロコンピュータ６は、Ｓ１２において、例えば、不揮発性メモリの内容を読み出すことにより、異常検出によりインバータ回路部３の発振を停止中であるか否かを判断する。
異常検出によりインバータ回路部３の発振を停止中であると判断した場合には、Ｓ１３へ進む。
異常検出によりインバータ回路部３の発振を停止中でないと判断した場合には、Ｓ１５へ進む。
【００６０】
Ｓ１３において、マイクロコンピュータ６は、電源投入検出回路部２００が出力した電源投入検出信号を入力する。
【００６１】
Ｓ１４において、マイクロコンピュータ６は、Ｓ１３で電源投入検出回路部２００から入力した電源投入検出信号に基づいて、交流電源ＡＣからの電力の供給が開始した直後であるか否かを判断する。
【００６２】
Ｓ１１でマイクロコンピュータ６がリセットした原因が、交流電源ＡＣからの電力の供給が開始したことに伴って、マイクロコンピュータ６に対する電源の供給が開始され、マイクロコンピュータ６が起動したことによるものであれば、この時点で、交流電源ＡＣからの電力の供給が開始してから、あまり時間が経過していないはずである。
他方、Ｓ１１でマイクロコンピュータ６がリセットした原因がその他のものであれば、この時点で、交流電源ＡＣからの電力の供給が開始してから相当期間経過しているはずである。
電源投入直後であれば、電源投入検出回路部２００に入力した入力電圧の立ち上がりから所定の時間内であるから、電源投入検出回路部２００が出力した電源投入検出信号の電圧値は、所定の判定閾値電圧の電圧値より高い。
電源投入直後でなければ、電源投入検出回路部２００に入力した入力電圧の立ち上がりから所定の時間以上経過しているから、電源投入検出回路部２００が出力した電源投入検出信号の電圧値は、所定の判定閾値電圧の電圧値より低い。
したがって、マイクロコンピュータ６は、電源投入検出回路部２００が出力した電源投入検出信号の電圧値が、所定の判定閾値電圧の電圧値より高いか否かを判断することにより、電源投入直後であるか否かを判断する。
【００６３】
電源投入直後であると判断した場合には、Ｓ１５へ進む。
電源投入直後でないと判断した場合には、処理を終了する。
【００６４】
電源スイッチＳＷをオフにして、その後オンにする操作をした場合に、マイクロコンピュータ６は、Ｓ１４で電源投入直後であると判断する。その場合、復帰条件を満たしたものとして、インバータ回路部３の発振を再開する。
【００６５】
Ｓ１５において、マイクロコンピュータ６は、インバータ回路部３を発振させるドライブ信号を生成し、出力する。
マイクロコンピュータ６は、インバータ回路部３を発振させたい周期に合わせて、「１」と「０」を交互に繰り返す信号を生成し、ドライブ信号として出力する。
マイクロコンピュータ６が出力したドライブ信号は、インバータ回路部３のドライブ回路５に入力し、ドライブ回路５がドライブ信号に基づいて、ＦＥＴＱ１とＦＥＴＱ２とを交互にオンオフすることにより、インバータ回路部３が、高周波電圧を出力する。
これにより、放電灯ＬＡに電力が供給され、放電灯ＬＡが点灯する。
【００６６】
Ｓ１６において、マイクロコンピュータ６は、異常検出回路１４が出力した異常検出信号を入力する。
【００６７】
Ｓ１７において、マイクロコンピュータ６は、Ｓ１６で異常検出回路１４から入力した異常検出信号に基づいて、放電灯ＬＡが異常状態であるか否かを判断する。
放電灯ＬＡが正常状態であると判断した場合には、Ｓ１５へ進み、放電灯ＬＡの点灯を継続する。
放電灯ＬＡが異常状態であると判断した場合には、Ｓ１８へ進む。
【００６８】
Ｓ１８において、マイクロコンピュータ６は、インバータ回路部３の発振を停止する。
すなわち、マイクロコンピュータ６は、ドライブ信号の生成を停止する。
また、マイクロコンピュータ６は、異常検出にインバータ回路部３の発振を停止したことを、不揮発性メモリなどを用いて、記憶する。
【００６９】
その後、マイクロコンピュータ６は、処理を終了する。
例えば、マイクロコンピュータ６に対する電源の供給を一時的に停止し、電力消費を抑えるモードに移行する。
【００７０】
このように、電源投入検出回路部２００が出力した電源投入検出信号に基づいて、マイクロコンピュータ６が電源投入直後であるか否かを判断することにより、例えば、電源スイッチＳＷの操作により、異常検出による保護状態から復帰する場合などに、マイクロコンピュータ６が電源スイッチＳＷの操作を正しく検出することができる。
【００７１】
この実施の形態における電源投入検出回路部２００によれば、コンデンサＣ１，Ｃ２と、抵抗Ｒ１とダイオードＤ１という極めて簡単な構成で、交流電源ＡＣの電源投入を検出できる電源投入検出回路を構成しているので、電源投入検出回路部２００の製造コストを抑えることができるという効果を奏する。
【００７２】
この実施の形態における電源投入検出回路部２００によれば、コンデンサＣ２に溜まった電荷が、抵抗Ｒ１を通って放電するので、電源切断後、電源を再び投入した場合でも、電源投入を正しく検出できるという効果を奏する。
【００７３】
この実施の形態における電源投入検出回路部２００によれば、出力した電源投入検出信号の電圧値が、所定の電圧値よりも高い場合に、交流電源ＡＣの電源が投入され、電源投入検出回路部２００に入力する入力電圧が立ち上がってから、所定の時間内であることを示すので、電源投入検出信号を入力して、電源投入直後であるか否かを判断するマイクロコンピュータ６など後段の回路の構成を簡単にすることができ、放電灯点灯装置１００の製造コストを抑えることができるという効果を奏する。
【００７４】
この実施の形態における電源投入検出回路部２００によれば、交流電源ＡＣを、電源整流回路１が全波整流した脈流電圧を入力するので、電源投入検出回路部２００に入力する入力電圧ｖＩＮを生成するための特別な回路が必要なく、また、出力する電源投入検出信号に表れるリプルが小さいので、電源投入直後であるか否かを判断する後段の回路の構成を簡単にすることができ、放電灯点灯装置１００の製造コストを抑えることができるという効果を奏する。
【００７５】
この実施の形態における電源投入検出回路部２００によれば、立ち上がり検出回路が入力電圧ｖＩＮの立ち上がりを検出して、コンデンサＣ３を充電し、その後、第一の放電回路がコンデンサＣ１を放電するので、入力電圧ｖＩＮの立ち上がりから所定の時間内であることを検出できる電源投入検出信号を出力できるという効果を奏する。
【００７６】
この実施の形態における電源投入検出回路部２００によれば、ダイオードＤ１とコンデンサＣ２という極めて簡単な構成で、立ち上がり検出回路を構成しているので、電源投入検出回路部２００の製造コストを抑えることができるという効果を奏する。
【００７７】
この実施の形態における電源投入検出回路部２００によれば、コンデンサＣ２に溜まった電荷を放電する第二の放電回路を有しているので、電源切断後、コンデンサＣ２が放電し、電源再投入時に、再び電源投入を検出することができるという効果を奏する。
【００７８】
この実施の形態における放電灯点灯装置１００によれば、このように簡単な構成で電源投入を検出できる電源投入検出回路部２００を有しているので、電源投入を正しく検出し、それに基づいて放電灯ＬＡの点灯を制御する放電灯点灯装置１００を、低コストで製造できるという効果を奏する。
【００７９】
この実施の形態における放電灯点灯装置１００によれば、電源投入検出回路部２００が出力した電源投入検出信号を、マイクロコンピュータ６が入力し、入力した電源投入検出信号の電圧値が所定の電圧値よりも高い場合に、入力電圧ｖＩＮの立ち上がりから所定の時間内であると判断するので、簡単な回路構成で、交流電源ＡＣの電源投入直後であるか否かを判断できるという効果を奏する。
【００８０】
この実施の形態における放電灯点灯装置１００によれば、異常検出回路１４が放電灯ＬＡの異常を検出して、マイクロコンピュータ６がインバータ回路部３の発振を停止したのち、マイクロコンピュータ６が、電源投入検出信号に基づいて、電源投入直後であると判断した場合に、インバータ回路部３の発振を再開するので、交流電源ＡＣの電源スイッチＳＷを操作するだけで、異常検出による保護状態からの復帰ができるという効果を奏する。
【００８１】
実施の形態２．
実施の形態２を、図１１〜図１２を用いて説明する。
【００８２】
この実施の形態における放電灯点灯装置１００の全体構成及び電源投入検出回路部２００の回路構成は、実施の形態１で図１及び図２を用いて説明した構成と同様であるので、ここでは説明を省略する。
【００８３】
放電灯点灯装置１００は、通常、電力会社から供給される商用電源を、交流電源ＡＣとして接続し、放電灯ＬＡを点灯する。
商用電源には、家庭用の１００Ｖ電源のほか、業務用の２００Ｖ電源などがあるが、接続する商用電源により放電灯点灯装置１００の設計を変更すると、製造コストなどが高くなるので、放電灯点灯装置１００は、１００Ｖ電源でも２００Ｖ電源でも使用できるように設計される。
【００８４】
しかし、１００Ｖ電源と２００Ｖ電源とでは、電源から供給される電力が異なるため、電源電圧により、例えば、インバータ回路部３の発振周波数を変えるなどの制御を行う必要がある場合がある。
【００８５】
この実施の形態における電源投入検出回路部２００は、電源の投入を検出できるだけでなく、電源電圧の電圧値を判別することができる電源投入検出信号を出力する。
【００８６】
図１１は、この実施の形態における電源投入検出回路部２００の各部の電圧を示す波形グラフ図である。
【００８７】
入力電圧ｖＩＮとして、１００Ｖの交流電源ＡＣを全波整流した脈流電圧（太線）を入力した場合と、２００Ｖの交流電源ＡＣを全波整流した脈流電圧（細線）を入力した場合の２つを示している。
実施の形態１で説明したように、電源投入直後にコンデンサＣ３に充電される電圧は、入力電圧ｖＩＮを、コンデンサＣ２とコンデンサＣ３との容量比により分圧したものであるから、電源投入直後にコンデンサＣ３に充電される電圧は、入力電圧ｖＩＮのピーク電圧に比例する。
したがって、出力電圧ｖＣ３の最初のピークは、交流電源ＡＣが１００Ｖの場合（太線）と比べて、交流電源ＡＣが２００Ｖの場合（細線）約２倍となる。
【００８８】
その後、コンデンサＣ３に溜まった電荷は、抵抗Ｒ２を通って放電するので、出力電圧ｖＣ３は０Ｖに近づく。
交流電源ＡＣが２００Ｖの場合は、交流電源ＡＣが１００Ｖの場合に比べてコンデンサＣ３に溜まった電荷の量が多いので、放電に時間がかかる。したがって、出力電圧ｖＣ３が判定閾値電圧まで下がるのにかかる時間は、交流電源ＡＣが１００Ｖの場合より、交流電源ＡＣが２００Ｖの場合のほうが長い。
【００８９】
そこで、電源投入検出回路部２００が出力する電源投入検出信号が、判定閾値電圧よりの高い状態を継続している時間を測定すれば、交流電源ＡＣの電圧値を判別できる。
【００９０】
図１２は、この実施の形態における放電灯点灯装置１００による放電灯点灯処理の流れを示すフローチャート図である。
なお、実施の形態１で図１０を用いて説明した放電灯点灯処理と共通する工程については、同一の符号を付し、説明を省略する。
【００９１】
Ｓ１４で、マイクロコンピュータ６が電源投入直後であることを判別したのち、マイクロコンピュータ６は、交流電源ＡＣが１００Ｖであるか２００Ｖであるかを判別する処理（Ｓ２１〜Ｓ２２）を行う。
【００９２】
Ｓ２１において、マイクロコンピュータ６は、所定時間の経過を待ったのち、電源投入検出回路部２００が出力した電源投入検出信号を、再び入力する。
【００９３】
Ｓ２２において、マイクロコンピュータ６は、Ｓ２１で入力した電源投入検出信号に基づいて、電源電圧を判別する。
【００９４】
適切な時間が経過したのちに、電源投入検出信号を入力すれば、交流電源が１００Ｖの場合には、出力電圧ｖＣ３が判定閾値電圧を下回るが、交流電源が２００Ｖの場合には、出力電圧ｖＣ３がまだ判定閾値電圧より高い。
【００９５】
そこで、マイクロコンピュータ６は、Ｓ２１で入力した電源投入検出信号の電圧値が判定閾値電圧の電圧値より高いか否かを判断することにより、交流電源ＡＣの電圧値を判別する。
すなわち、Ｓ２１で入力した電源投入検出信号の電圧値が判定閾値電圧の電圧値より高い場合には、交流電源ＡＣが２００Ｖであると判断する。逆に、Ｓ２１で入力した電源投入検出信号の電圧値が判定閾値電圧の電圧値より低い場合には、交流電源ＡＣが１００Ｖであると判断する。
【００９６】
マイクロコンピュータ６は、判別した交流電源ＡＣの電圧値を、例えば、不揮発性メモリなどを用いて記憶する。
【００９７】
Ｓ１５’において、マイクロコンピュータ６は、インバータ回路部３を発振させるドライブ信号を生成し、出力する。
このとき、マイクロコンピュータ６は、Ｓ２２で判別した交流電源ＡＣの電圧値に基づいて、例えば、ドライブ信号の周波数を変えるなどの制御を行う。
【００９８】
これにより、２種類の異なる電圧を有する交流電源ＡＣに接続する可能性のある放電灯点灯装置１００において、交流電源ＡＣの電圧値を判別することができる。
【００９９】
この例では、所定の時間が経過したあとで、もう一度、マイクロコンピュータ６が電源投入検出信号を入力することにより、電源投入検出信号の電圧値が判定閾値電圧の電圧値よりも高い状態を継続している時間が、所定の時間よりも長いか否かを判断している。
【０１００】
しかし、マイクロコンピュータ６が電源投入検出信号を入力し続け、最初に電源投入検出信号の電圧値が判定閾値電圧の電圧値よりも低くなるまでの時間を測定することにより、電源投入検出信号の電圧値が判定閾値電圧の電圧値よりも高い状態を継続している時間が、所定の時間よりも長いか否かを判断してもよい。
そうすれば、Ｓ２１でマイクロコンピュータ６が電源投入検出信号を入力した際に、電源投入検出信号のリプルにより、たまたま判定閾値電圧の電圧値よりも高くなっている場合などに誤検出することを防げるので、好ましい。
【０１０１】
また、この例では、交流電源ＡＣの電圧値として、２００Ｖ（第一の電圧値）と、１００Ｖ（第二の電圧値）の２種類を判別しているが、もっと多くの電圧値を判別することができることは明らかである。
【０１０２】
この実施の形態における電源投入検出回路部２００によれば、出力した電源投入検出信号の電圧値が、所定の電圧値よりも高い状態を継続している時間の長さにより、交流電源ＡＣの電圧値を判別できるので、交流電源ＡＣの電圧値を測定するための特別な回路が必要なく、また、マイクロコンピュータ６など後段の回路の構成を簡単にすることができ、放電灯点灯装置１００の製造コストを抑えることができるという効果を奏する。
【０１０３】
この実施の形態における放電灯点灯装置１００によれば、電源投入検出回路部２００が出力した電源投入検出信号を、マイクロコンピュータ６が入力し、入力した電源投入検出信号の電圧値が所定の電圧値よりも高い状態を継続している時間が所定の時間より長い場合に、入力電圧ｖＩＮの電圧値が第一の電圧値（例えば、２００Ｖ）であると判別し、入力した電源投入検出信号の電圧値が所定の電圧値よりも高い状態を継続している時間が所定の時間より短い場合に、入力電圧ｖＩＮの電圧値が第二の電圧値（例えば、１００Ｖ）であると判別するので、簡単な回路構成で、交流電源ＡＣの電圧値を判別できるという効果を奏する。
【０１０４】
実施の形態３．
実施の形態３を、図１３〜図１４を用いて説明する。
この実施の形態における放電灯点灯装置１００の全体構成は、実施の形態１において図１を用いて説明したものと同様なので、ここでは説明を省略する。
【０１０５】
この実施の形態では、電源投入検出回路部２００の回路構成の別の例について説明する。
【０１０６】
図１３は、この実施の形態における電源投入検出回路部２００の回路構成を示す回路構成図である。
なお、実施の形態１で図２を用いて説明した電源投入検出回路部２００の回路と共通する部品については、共通の符号を付し、ここでは説明を省略する。
【０１０７】
図１３に示す電源投入検出回路部２００は、実施の形態１で説明した電源投入検出回路部２００に、抵抗Ｒ３を加えた構成である。
抵抗Ｒ３（第三の抵抗素子）は、コンデンサＣ３（第一のコンデンサ素子）の接地していない他端に一端を接続し、コンデンサＣ２（第二のコンデンサ素子）のダイオードＤ１（整流素子）と接続している一端に他端を接続している。すなわち、抵抗Ｒ３は、コンデンサＣ２と並列に接続している。
【０１０８】
抵抗Ｒ３は、抵抗Ｒ１によって構成される放電回路とは別に、もう一つの放電回路を構成し、コンデンサＣ２に溜まった電荷を放電する役割を果たす。
【０１０９】
また、抵抗Ｒ３の存在により、電源投入後の過渡状態を過ぎたのちの出力電圧ｖＣ３は、抵抗Ｒ３と抵抗Ｒ２の分圧比によって定まる電圧となり、０Ｖにはならない。
例えば、抵抗Ｒ３の抵抗値と抵抗Ｒ２の抵抗値との比が１００：１であり、入力電圧ｖＩＮが１００Ｖであれば、過渡状態を過ぎたのちの出力電圧ｖＣ３は、１００×１／１０１≒１Ｖとなる。
【０１１０】
なお、過渡状態を過ぎたのちの電源投入検出信号の電圧値は、判定閾値電圧の電圧値より低くならなければならないので、リプル分も含めて、過渡状態を過ぎたのちの出力電圧ｖＣ３が判定閾値電圧より低くなるように、抵抗Ｒ３と抵抗Ｒ２との抵抗値の比を定める。
【０１１１】
これにより、コンデンサＣ２に溜まった電荷を放電する放電回路が２つになるので、コンデンサＣ２の放電が速くなり、電源切断後、再び電源を投入した場合に、その間隔が短くても、電源投入を正しく検出できる。
【０１１２】
図１４は、この実施の形態における電源投入検出回路部２００の回路構成の別の例を示す回路構成図である。
【０１１３】
図１４に示す電源投入検出回路部２００は、図１３で説明した電源投入検出回路部２００から抵抗Ｒ１を除いた構成である。
実施の形態１で説明した通り、抵抗Ｒ１は、電源切断後にコンデンサＣ２に溜まった電荷を放電するために備えられた放電回路を構成するものである。
この実施の形態における電源投入検出回路部２００には、抵抗Ｒ３によって構成される放電回路があるので、電源切断後、抵抗Ｒ３を通る電流により、コンデンサＣ２に溜まった電荷が放電される。
したがって、抵抗Ｒ１がなくとも、電源投入検出回路部２００は、正しく動作する。
【０１１４】
これにより、電源投入検出回路部２００を構成する部品を少なくすることができるので、電源投入検出回路部２００の製造コストを抑えることができる。
【図面の簡単な説明】
【０１１５】
【図１】実施の形態１における放電灯点灯装置１００の全体構成を示す全体構成図。
【図２】実施の形態１における電源投入検出回路部２００の回路構成を示す回路構成図。
【図３】実施の形態１における電源投入検出回路部２００の動作を説明するための説明図。
【図４】実施の形態１における電源投入検出回路部２００の動作を説明するための説明図。
【図５】実施の形態１における電源投入検出回路部２００の各部の電圧を示す波形グラフ図。
【図６】実施の形態１における電源投入検出回路部２００の構成を、機能ブロックの観点から説明した図。
【図７】実施の形態１における電源投入検出回路部２００の各部の電圧を示す波形グラフ図。
【図８】電源投入検出回路部２００に交流電圧を入力した場合における、電源投入検出回路部２００の各部の電圧を示す波形グラフ図。
【図９】電源投入検出回路部２００に脈流成分のない直流電圧を入力した場合における、電源投入検出回路部２００の各部の電圧を示す波形グラフ図。
【図１０】実施の形態１における放電灯点灯装置１００による放電灯点灯処理の流れを示すフローチャート図。
【図１１】実施の形態２における電源投入検出回路部２００の各部の電圧を示す波形グラフ図。
【図１２】実施の形態２における放電灯点灯装置１００による放電灯点灯処理の流れを示すフローチャート図。
【図１３】実施の形態３における電源投入検出回路部２００の回路構成を示す回路構成図。
【図１４】実施の形態３における電源投入検出回路部２００の回路構成の別の例を示す回路構成図。
【符号の説明】
【０１１６】
１  電源整流回路、２  アクティブフィルタ回路部、３  インバータ回路部、４  負荷回路、５  ドライブ回路、６  マイクロコンピュータ、１４  異常検出回路、１００  放電灯点灯装置、１１０  直流電源回路、２００  電源投入検出回路部、ＡＣ  交流電源、Ｃ  結合コンデンサ、Ｃ１，Ｃ２，Ｃ３  コンデンサ、Ｄ１  ダイオード、ｉ１，ｉ２，ｉ３，ｉ４  電流、Ｌ１  インダクタ、ＬＡ  放電灯、Ｒ１，Ｒ２，Ｒ３  抵抗、ｖＩＮ  入力電圧、ｖＲ１，ｖＣ２  電圧、ｖＣ３  出力電圧。
【図１】
0004688689.tif 000002
【図２】
0004688689.tif 000003
【図３】
0004688689.tif 000004
【図４】
0004688689.tif 000005
【図５】
0004688689.tif 000006
【図６】
0004688689.tif 000007
【図７】
0004688689.tif 000008
【図８】
0004688689.tif 000009
【図９】
0004688689.tif 000010
【図１０】
0004688689.tif 000011
【図１１】
0004688689.tif 000012
【図１２】
0004688689.tif 000013
【図１３】
0004688689.tif 000014
【図１４】
0004688689.tif 000015